(57)【要約】【課題】アフレコ時のビデオデータのリアルタイム再生の可否判定を行うことができるようにする。【解決手段】ステップＳ１で、連続再生必要時間Ｔｃｒが算出される。連続再生必要時間Ｔｃｒは、バッファに記憶された、判定単位のすべてがバッファから出力されるまでの時間を意味する。ステップＳ２で、ピックアップの状態を読み出し状態から書き込み状態に変更するのに要する時間と、書き込み状態から読み出し状態に変更するのに要する時間を含む記録必要時間Ｔａｗが算出される。ステップＳ３で、時間Ｔｃｒと時間Ｔａｗに基づいてリアルタイム再生可否が判定される。【選択図】      図６
2005018909.tif 000002
【特許請求の範囲】
【請求項１】
光ディスクに記録されている記録データをピックアップで読み出し、その記録データを所定のバッファにバッファリングして再生するとともに、前記ピックアップで入力データを前記光ディスクに書き込む場合の、前記ピックアップの状態を、読み出し状態から書き込み状態に変更するのに要する第１の変更時間、および前記書き込み状態から前記読み出し状態に変更するのに要する第２の変更時間を含む、記録再生状態を確認するための必要時間を算出する算出手段
を備えることを特徴とする情報処理装置。
【請求項２】
前記ピックアップは、光源、および前記光源から出射するビーム光の総光量に対する、前記光ディスク上に集光する光量の比率を変化させる変更素子を有して構成され、
前記比率は、前記書き込み状態のときには第１の比率とされ、前記読み出し状態のときには第２の比率とされ、
前記第１の変更時間は、前記第２の比率を前記第１の比率に変更するのに要する時間であり、
前記第２の変更時間は、前記第１の比率を前記第２の比率に変更するのに要する時間である
ことを特徴とする請求項１に記載の情報処理装置。
【請求項３】
前記変更素子は、液晶素子であり、
前記比率は、前記液晶素子の透過率である
ことを特徴とする請求項２に記載の情報処理装置。
【請求項４】
前記算出手段は、前記バッファに記憶された、前記光ディスクから読み出された所定単位分の記録データが前記バッファから出力されるのに要する連続再生必要時間を算出するとともに、所定単位分の入力データを前記光ディスクに書き込むのに要する書き込み時間、前記第１の変更時間、および前記第２の変更時間を含む前記必要時間を算出し、
前記連続再生必要時間および前記必要時間に基づいて、前記記録データを再生するとともに、前記入力データを前記光ディスクに書き込む場合の、前記記録データのリアルタイム再生の可否判定を行う判定手段
をさらに備えることを特徴とする請求項１に記載の情報処理装置。
【請求項５】
前記記録データは、ビデオデータであり、
前記入力データは、オーディオデータである
ことを特徴とする請求項４に記載の情報処理装置。
【請求項６】
光ディスクに記録されている記録データをピックアップで読み出し、その記録データを所定のバッファにバッファリングして再生するとともに、前記ピックアップで入力データを前記光ディスクに書き込む場合の、前記ピックアップの状態を、読み出し状態から書き込み状態に変更するのに要する第１の変更時間、および前記書き込み状態から前記読み出し状態に変更するのに要する第２の変更時間を含む、記録再生状態を確認するための必要時間を算出する算出ステップ
を含むことを特徴とする情報処理方法。
【請求項７】
光ディスクに記録されている記録データをピックアップで読み出し、その記録データを所定のバッファにバッファリングして再生するとともに、前記ピックアップで入力データを前記光ディスクに書き込む場合の、前記ピックアップの状態を、読み出し状態から書き込み状態に変更するのに要する第１の変更時間、および前記書き込み状態から前記読み出し状態に変更するのに要する第２の変更時間を含む、記録再生状態を確認するための必要時間の算出を制御する算出制御ステップ
を含むことを特徴とするコンピュータが読み取り可能なプログラムが記録されている記録媒体。
【請求項８】
光ディスクに記録されている記録データをピックアップで読み出し、その記録データを所定のバッファにバッファリングして再生するとともに、前記ピックアップで入力データを前記光ディスクに書き込む場合の、前記ピックアップの状態を、読み出し状態から書き込み状態に変更するのに要する第１の変更時間、および前記書き込み状態から前記読み出し状態に変更するのに要する第２の変更時間を含む、記録再生状態を確認するための必要時間の算出を制御する算出制御ステップ
を含む処理をコンピュータに実行させることを特徴とするプログラム。
【発明の詳細な説明】
【０００１】
【発明の属する技術分野】
本発明は、情報処理装置および方法、記録媒体、並びにプログラムに関し、特に、例えば、アフレコ時の、ディスク装置の再生動作を容易に確認することができるようにする情報処理装置および方法、記録媒体、並びにプログラムに関する。
【０００２】
【従来の技術】
例えば、光ディスクなどの記録媒体に対して、ビデオデータやオーディオデータなどのＡＶ（Ａｕｄｉｏ  Ｖｉｓｕａｌ）データの書き込みと消去を繰り返し行うと、連続して再生されるべきＡＶデータが、光ディスク上に分断されて記録されるようになる。
【０００３】
また、このような連続して再生されるべきＡＶデータの光ディスク上における分断は、その他、例えば、光ディスクに欠陥がある場合や、非破壊編集が行われた場合にも生じる。
【０００４】
ここで、非破壊編集とは、例えば、光ディスク等に記録された素材データとしてのＡＶデータに対して、いわゆる編集点（ＩＮ点、ＯＵＴ点）を設定するだけで、素材データそのものを編集しない（破壊しない）編集方法である。非破壊編集においては、例えば、編集時に設定された編集点のリスト（以下、編集リストと称する）が作成される。そして、その編集結果の再生は、この編集リストにしたがって行われる。即ち、非破壊編集結果の再生は、編集リストに記述されている編集点にしたがって、光ディスクに記録された素材データを再生することにより行われる。非破壊編集結果の再生は、上述のように、編集リストに記述されている編集点にしたがって、光ディスクに記録された素材データを再生することにより行われるので、結果として、連続して再生されるべき一連のＡＶデータが分断されて光ディスクに記録されている状態と等価になる。
【０００５】
ところで、以上のように、光ディスクに分断されて記録されたＡＶデータを再生する場合、光ディスク上のある記録領域に記録されているＡＶデータの次に再生すべきＡＶデータが、他の離れた記録領域に記録されていることがある。
【０００６】
この場合、例えば、再生されたビデオデータに対応する映像を見ながら、音声を記録する（いわゆる、アフレコを行う）とき、その記録に要する時間によっては、例えば、いま再生すべきＡＶデータの読み出しが、その再生時刻に間に合わず、再生が途切れることがある（ＡＶデータのリアルタイム再生ができないことがある）。
【０００７】
具体的には、光ディスクに記録されたＡＶデータの再生は、光ディスクに記録されたＡＶデータを読み出し、所定のバッファにバッファリングした後、そのバッファにバッファリングされたＡＶデータを処理することによって行われる。
【０００８】
この場合、一般に、光ディスクからのＡＶデータの読み出しレートは、ＡＶデータの再生レートよりも大にされ、これにより、バッファに入力されるＡＶデータのレートの方が、バッファから出力されるＡＶデータのレートよりも大にされる。従って、バッファには、基本的には、光ディスクから読み出されたＡＶデータが徐々に蓄積されていく。しかしながら、記録が行われると、光ディスクからのＡＶデータの読み出しが行われないため、バッファからは、ＡＶデータが、その再生のために出力されるだけとなり、バッファにおけるＡＶデータのデータ量は減少していく。そして、バッファにおけるＡＶデータがなくなるまでに、記録が終了し、光ディスクからのＡＶデータの読み出しがなされないと、バッファがアンダーフローし、再生が途切れることになる。
【０００９】
例えば、特許文献１に示すように、光ディスクの記録領域を同心円状に分割して得られる各領域に、ビデオデータとオーディオデータを記録することにより、ビデオデータとオーディオデータそれぞれを、ある程度の連続した記録領域に連続して記録するようにして、バッファに蓄積されるデータを増やすようにしても、記録時間が大である場合、再生が途切れてしまう。
【００１０】
このように、光ディスクに記録されているデータをバッファにバッファリングして再生する場合において、アフレコなど、再生しながら記録を行う場合、その処理内容（例えば、記録時間）によって、ディスク装置の動作に影響を与える（例えば、ビデオデータのリアルタイム再生ができなくなる）。
【００１１】
【発明が解決しようとする課題】
従来では、このような記録再生動作への影響、例えば、アフレコ時にリアルタイム再生ができるかどうかは、ＡＶデータを実際に読み出し、その読み出しが、ユーザにより要求されたアフレコの内容によって、再生が間に合うかどうかをチャックする必要があった。しかしながら、このように光ディスクに記録されているＡＶデータを実際に読み出すことは時間を要し、面倒である。
【００１２】
本発明は、このような状況に鑑みてなされたものであり、ディスク装置の動作を、容易にかつ正確に確認することができるようにするものである。
【００１３】
【特許文献１】
特開平１１−９８４４７号公報。
【００１４】
【課題を解決するための手段】
本発明の情報処理装置は、光ディスクに記録されている記録データをピックアップで読み出し、その記録データを所定のバッファにバッファリングして再生するとともに、ピックアップで入力データを光ディスクに書き込む場合の、ピックアップの状態を、読み出し状態から書き込み状態に変更するのに要する第１の変更時間、および書き込み状態から読み出し状態に変更するのに要する第２の変更時間を含む、記録再生状態を確認するための必要時間を算出する算出手段を備えることを特徴とする。
【００１５】
ピックアップは、光源、および光源から出射するビーム光の総光量に対する、光ディスク上に集光する光量の比率を変化させる変更素子を有して構成し、比率は、書き込み状態のときには第１の比率とされ、読み出し状態のときには第２の比率とし、第１の変更時間は、第２の比率を第１の比率に変更するのに要する時間とし、第２の変更時間は、第１の比率を第２の比率に変更するのに要する時間とすることができる。
【００１６】
変更素子は、液晶素子とし、比率は、液晶素子の透過率とすることができる。
【００１７】
算出手段は、バッファに記憶された、光ディスクから読み出された所定単位分の記録データがバッファから出力されるのに要する連続再生必要時間を算出するとともに、所定単位分の入力データを光ディスクに書き込むのに要する書き込み時間、第１の変更時間、および第２の変更時間を含む必要時間を算出し、連続再生必要時間および必要時間に基づいて、記録データを再生するとともに、入力データを光ディスクに書き込む場合の、記録データのリアルタイム再生の可否判定を行う判定手段をさらに設けることができる。
【００１８】
記録データは、ビデオデータとし、入力データは、オーディオデータとすることができる。
【００１９】
本発明の情報処理方法は、光ディスクに記録されている記録データをピックアップで読み出し、その記録データを所定のバッファにバッファリングして再生するとともに、ピックアップで入力データを光ディスクに書き込む場合の、ピックアップの状態を、読み出し状態から書き込み状態に変更するのに要する第１の変更時間、および書き込み状態から読み出し状態に変更するのに要する第２の変更時間を含む、記録再生状態を確認するための必要時間を算出する算出ステップを含むことを特徴とする。
【００２０】
本発明の記録媒体のプログラムは、光ディスクに記録されている記録データをピックアップで読み出し、その記録データを所定のバッファにバッファリングして再生するとともに、ピックアップで入力データを光ディスクに書き込む場合の、ピックアップの状態を、読み出し状態から書き込み状態に変更するのに要する第１の変更時間、および書き込み状態から読み出し状態に変更するのに要する第２の変更時間を含む、記録再生状態を確認するための必要時間の算出を制御する算出制御ステップを含むことを特徴とする。
【００２１】
本発明のプログラムは、光ディスクに記録されている記録データをピックアップで読み出し、その記録データを所定のバッファにバッファリングして再生するとともに、ピックアップで入力データを光ディスクに書き込む場合の、ピックアップの状態を、読み出し状態から書き込み状態に変更するのに要する第１の変更時間、および書き込み状態から読み出し状態に変更するのに要する第２の変更時間を含む、記録再生状態を確認するための必要時間の算出を制御する算出制御ステップを含む処理をコンピュータに実行させることを特徴とする。
【００２２】
本発明の情報処理装置および方法、並びにプログラムにおいては、光ディスクに記録されている記録データをピックアップで読み出し、その記録データを所定のバッファにバッファリングして再生するとともに、ピックアップで入力データを光ディスクに書き込む場合の、ピックアップの状態を、読み出し状態から書き込み状態に変更するのに要する第１の変更時間、および書き込み状態から読み出し状態に変更するのに要する第２の変更時間を含む、記録再生状態を確認するための必要時間が算出される。
【００２３】
【発明の実施の形態】
以下に本発明の実施の形態を説明するが、特許請求の範囲に記載の発明の各手段と以下の実施の形態との対応関係を明らかにするために、各手段の後の括弧内に、対応する実施の形態（但し一例）を付加して本発明の特徴を記述すると、次のようになる。但し勿論この記載は、各手段を記載したものに限定することを意味するものではない。
【００２４】
本発明の情報処理装置は、光ディスクに記録されている記録データをピックアップで読み出し、その記録データを所定のバッファにバッファリングして再生するとともに、ピックアップで入力データを光ディスクに書き込む場合の、ピックアップの状態を、読み出し状態（例えば、図２の光源５１が小さなパワーのビーム光を出力し、液晶素子５２の透過率が小さな値になっている状態）から書き込み状態（例えば、光源５１が大きなパワーのビーム光を出力し、液晶素子５２の透過率が大きな値となっている状態）に変更するのに要する第１の変更時間（例えば、式（３）中のＴｍｃ１）、および書き込み状態から読み出し状態に変更するのに要する第２の変更時間（例えば、式（３）中のＴｍｃ２）を含む、記録再生状態を確認するための必要時間（例えば、記録必要時間Ｔａｗ）を算出する算出手段（例えば、図６のステップＳ２の処理を行う図１のリアルタイム再生可否判定部３１）を備えることを特徴とする。
【００２５】
ピックアップ（例えば、図２のピックアップ１３）は、光源（例えば、図２の光源５１）、および光源から出射するビーム光の総光量に対する、光ディスク上に集光する光量の比率を変化させる変更素子（例えば、図２の液晶素子５２）を有して構成し、比率は、書き込み状態のときには第１の比率とされ、読み出し状態のときには第２の比率とし、第１の変更時間は、第２の比率を第１の比率に変更するのに要する時間とし、第２の変更時間は、第１の比率を第２の比率に変更するのに要する時間とすることができる。
【００２６】
算出手段は、バッファに記憶された、光ディスクから読み出された所定単位分の記録データがバッファから出力されるのに要する連続再生必要時間（例えば、式（１）の連続再生必要時間Ｔｃｒ）を算出するとともに、所定単位分の入力データを光ディスクに書き込むのに要する書き込み時間（例えば、式（３）中のｎ×ＴｗＡ）、第１の変更時間、および第２の変更時間を含む必要時間を算出し、連続再生必要時間および必要時間に基づいて、記録データを再生するとともに、入力データを光ディスクに書き込む場合の、記録データのリアルタイム再生の可否判定を行う判定手段（例えば、図６のステップＳ３の処理を行う図１のリアルタイム再生可否判定部３１）をさらに設けることができる。
【００２７】
本発明の情報処理方法は、光ディスクに記録されている記録データをピックアップで読み出し、その記録データを所定のバッファにバッファリングして再生するとともに、ピックアップで入力データを光ディスクに書き込む場合の、ピックアップの状態を、読み出し状態から書き込み状態に変更するのに要する第１の変更時間、および書き込み状態から読み出し状態に変更するのに要する第２の変更時間を含む、記録再生状態を確認するための必要時間を算出する算出ステップ（例えば、図６のステップＳ２）を含むことを特徴とする。
【００２８】
図１は、本発明を適用したディスク装置の構成例を示している。
【００２９】
スピンドルモータ１１は、光ディスク１を回転駆動する。送りモータ１２は、ピックアップ１３を駆動する。
【００３０】
ピックアップ１３は、読み書き制御部２（信号処理部２３）から供給される記録信号に基づいてレーザ光の出力を制御し、光ディスク１に記録信号を書き込む。ピックアップ１３はまた、光ディスク１にレーザ光を集光して照射するとともに、光ディスク１からの反射光を光電変換して電流信号を生成し、読み書き制御部２（プリアンプ２１）に供給する。なお、レーザ光の照射位置は、読み書き制御部２（サーボ制御部２２）から供給されるサーボ信号による送りモータ１２の動作によって調整される。
【００３１】
図２は、ピックアップ１３の光学系の構成例を示している。
【００３２】
ピックアップ１３は、光源５１、液晶素子５２、ビームスプリッタ５３、対物レンズ５４、およびフォトセンサ５５を備えており、これらの各光学部品が個別にマウントされて構成されている。
【００３３】
光源５１から出射されたビーム光は、液晶素子５２に入射され、この液晶素子５２の透過率に応じた分だけ通過して、ビームスプリッタ５３に入射される。そしてビームスプリッタ５３を通過したビーム光は、対物レンズ５４によって光ディスク１の信号記録層に集光される。光ディスク１の記録層で反射した光束は、ビームスプリッタ５３で光源５１からのビーム光と分離され、フォトセンサ５５に供給される。フォトセンサ５５は、入射された光束を光電変換して電流信号を生成し、読み書き制御部２（プリアンプ２１）に出力する。
【００３４】
図１に戻り読み書き制御部２は、スピンドルモータ１１乃至ピックアップ１３を制御して、情報処理部３から供給されるデータを光ディスク１に書き込ませたり、光ディスク１に記録されているデータを読み出させ、情報処理部３に供給する。
【００３５】
すなわち読み書き制御部２のプリアンプ２１は、ピックアップ１３からのビーム光に対応する電流信号に基づいてフォーカスエラー信号、トラッキングエラー信号、再生信号等を生成する。フォーカスエラー信号およびトラッキングエラー信号は、サーボ制御部２２に供給され、再生信号は、信号処理部２３に供給される。
【００３６】
サーボ制御部２２は、送りモータ１２を制御し、ピックアップ１３を、光ディスク１上の所定のトラックまで移動させたり、スピンドルモータ１１および送りモータ１２を制御して、ピックアップ１３の対物レンズ５４の位置を調整する。
【００３７】
サーボ制御部２２はまた、記録または再生に適切なパワーのビーム光が光ディスク１に照射されるように、ピックアップ１３を制御する。
【００３８】
具体的には、サーボ制御部２２は、記録時において、大きなパワーのビーム光が出力されるようにピックアップ１３の光源５１を制御するとともに、印加電圧を調整して、例えば、液晶素子５２の透過率を大きし、図３Ａに示すように多くのビーム光が通過するようにする。一方、再生時においては、サーボ制御部２２は、記録時のパワーより小さなパワーのビーム光が出力されるように光源５１を制御するとともに、印加電圧を調整して、液晶素子５２の通過率を小さし、図３Ｂに示すように、少ないビーム光が通過するようにする。なお、図３中の矢印は、ビーム光を表し、その太さは、通過するビーム光の光量に対応している。
【００３９】
そのパワーによる、光ディスク１上の記録層の劣化を防止するため、再生時には、記録時より弱いパワーのビーム光が光ディスク１に照射されるが、図２の例のように、そのパワーの調整に際し、ビーム光のパワーそのものの調整だけでなく、液晶素子５２の透過率を変化させて、光源５１からのビーム光の総光量に対する、光ディスク１上に集光する光量の比率を変化させるようにしたので、特殊な光源を用いなくても、光ディスク１上に集光される、記録再生に必要なビーム光のダイナミックレンジを得ることができる。
【００４０】
なお、ここでは、光源５１からのビーム光の総光量に対する、光ディスク１上に集光する光量の比率を、液晶素子５２の透過率によって変化させるようにしたが、液晶素子５２の分岐比率によって変化させることもできる。またこの比率を変化させる方法は、特開２００２−２６０２７２号公報に詳細に記載されている。
【００４１】
図１に戻り、読み書き制御部２の信号処理部２３は、情報処理部３（制御部３２）から入力される入力データを変調して記録信号を生成し、ピックアップ１３に供給する。信号処理部２３はまた、プリアンプ２１からの再生信号を復調して再生データを生成し、情報処理部３（制御部３２）に供給する。
【００４２】
信号処理部２３の再生系の構成例を図４に示す。
【００４３】
プリアンプ２１からの再生信号は、バッファ６１に入力されて一時的に記憶される。バッファ６１に記憶された再生信号は、ビデオデコーダ６２、およびオーディオデコーダ６３−１乃至６３−Ｎ（以下、個々に区別する必要がない場合、単に、オーディオデコーダ６３と称する）に入力される。ビデオデコーダ６２では、再生信号の中のビデオ信号がデコードされる。各オーディオデコーダ６３では、対応するチャンネルのオーディオ信号がそれぞれデコードされる。
【００４４】
ビデオデコーダ６２およびオーディオデコーダ６３によるデコード処理の結果得られたビデオデータおよびオーディオデータは、情報処理部３（制御部３２）に供給される。
【００４５】
図１に戻り、情報処理部３は、光ディスク１に記録するＡＶデータを読み書き制御部２に供給したり、読み書き制御部２を介して供給される、光ディスク１に記録されているＡＶデータを、表示部やスピーカ（ともに図示せず）に出力する。
【００４６】
情報処理部３はまた、光ディスク１に記録されているビデオデータに対応する映像を視ながら、その映像に対応する音声を光ディスク１に記録する場合の（アフレコを行う場合の）、ビデオデータのリアルタイム再生の可否判定を行う。
【００４７】
すなわち情報処理部３のリアルタイム再生可否判定部３１は、例えば、図５に示すように、ＡＶデータのＭ個の単位ブロック（読み出しまたは書き込みの単位ブロック）ＡＶＢ１乃至ＡＶＢｍ毎に、そのＡＶデータのビデオデータを再生しながら、オーディオデータのＭ個の単位ブロックＡＢ１乃至ＡＢｍを記録する場合の（アフレコを行う場合の）、ビデオデータのリアルタイム再生の可否判定を行う。
【００４８】
制御部３２は、インタフェース３３から供給された操作信号に応じて、リアルタイム再生可否判定部３１および読み書き制御部２を制御する。
【００４９】
インタフェース（Ｉ／Ｆ）３３は、キーボードやマウスなどの操作部や、画像を表示するディスプレイ、音声を出力するスピーカ（いずれも図示せず）に対応する制御を行う。そしてインタフェース３３は、ユーザによって操作部が操作された場合、その操作に対応する信号を制御部３２に供給する。また、インタフェース３３は、制御部３２から供給された情報を、適宜、ディスプレイやスピーカから出力する。
【００５０】
次に、リアルタイム再生可否判定部３１の動作を、図６のフローチャートを参照して説明する。
【００５１】
ステップＳ１において、リアルタイム再生可否判定部３１は、連続再生必要時間Ｔｃｒを、式（１）に従って算出する。
Ｔｃｒ＝（ＹＶ／ＶｄＶ）×Ｍ・・・（１）
【００５２】
式（１）中のＹＶは、単位ブロックＡＶＢ分のビデオデータのデータ量であり、式（２）に従って算出される。式（２）中のＴｒＶは、１倍速時の、１単位ブロックＡＶＢのビデオデータを光ディスク１から読み出すのに要する時間であり、Ｖｔは、ディスクドライブの倍速数である。
ＹＶ＝ＴｒＶ×Ｖｔ・・・（２）
【００５３】
式（１）中のＶｄＶは、バッファ６１から出力されるデータのレートである。すなわち、連続再生必要時間Ｔｃｒは、信号処理部２３（読み書き制御部２）のバッファ６１に記憶された、判定単位（Ｍ個の単位ブロックＡＶＢ１乃至ＡＶＢｍ）のすべてがバッファ６１から出力されるまでの時間を意味する。
【００５４】
次に、ステップＳ２において、リアルタイム再生可否判定部３１は、記録必要時間Ｔａｗを、式（３）に従って算出する。
Ｔａｗ＝［ＴｒＶ＋Ｎ×ＴｒＡ＋ｎ×ＴｗＡ×Ｔｅ］×Ｍ＋Ｔｍｃ１＋Ｔｍｃ２・・・（３）
【００５５】
式（３）中のＴｒＶは、１単位ブロックＡＶＢのビデオデータを光ディスク１から読み出すのに要する時間である。ＴｒＡは、１単位ブロックＡＶＢのオーディオデータを光ディスク１から読み出すのに要する時間であり、Ｎは、光ディスク１から読み出されるオーディオのチャンネル数である。ＴｗＡは、１単位ブロックＡＢのオーディオデータを光ディスク１に書き込むのに要する時間であり、ｎは、書き込まれるオーディオのチャンネル数である。Ｔｅは、１単位ブロックＡＶＢのビデオデータとオーディオデータを訂正するのに要する時間である。
【００５６】
式（３）中、Ｔｍｃ１は、図５の例では、単位ブロックＡＶＢｍのＡＶデータを光ディスク１から読み出した後、単位ブロックＡＢ１のオーディオデータを光ディスク１に書き込むときに、ピックアップ１３の状態を読み出し状態から書き込み状態に変更するのに要する時間である。すなわちＴｍｃ１は、光源５１が小さなパワーのビーム光を出力し、液晶素子５２の透過率が小さな値になっている状態のピックアップ１３を、光源５１が大きなパワーのビーム光を出力し、液晶素子５２の透過率が大きな値となっている状態に変更するのに要する時間である。
【００５７】
Ｔｃｍ２は、図５の例では、単位ブロックＡＢｍのオーディオデータを光ディスク１に書き込んだ後、単位ブロックＡＶＢｍ＋１のＡＶデータを光ディスク１から読み出すときに、ピックアップ１３の状態を書き込み状態から読み出し状態に変更するのに要する時間である。すなわちＴｃｍ２は、光源５１が大きなパワーのビーム光を出力し、液晶素子５２の透過率が大きい値となっている状態のピックアップ１３を、光源５１が小さいパワーのビーム光を出力し、液晶素子５２の透過率が小さい値となっている状態に変更するのに要する時間である。
【００５８】
なお、一般的に、光源５１におけるビーム光自体のパワー変更に要する時間は、液晶素子５２の透過率を変更するのに要する時間より比べて小さい。すなわち、液晶素子５２の透過率を変更する時間をピックアップ１３の状態を変更するのに要する時間として扱うこともできる。
【００５９】
また液晶素子５２の特性により、透過率を小さなものから大きなものに変更するのに要する時間（ピックアップ１３の状態を読み出し状態から書き込み状態に変更するのに要する時間Ｔｃｍ１）は、透過率を大きなものから小さなものに変更する時間（ピックアップ１３の状態を書き込み状態から読み出し状態に変更するのに要する時間Ｔｃｍ２）より短くなることが知られている。例えば、Ｔｃｍ１は、１００ｍｓｅｃであり、Ｔｃｍ２は、２００ｍｓｅｃである。またこの時間は、外気温度等の使用環境によっても異なる。
【００６０】
次に、ステップＳ３において、リアルタイム再生可否判定部３１は、ステップＳ１で算出した連続再生必要時間Ｔｃｒと、ステップＳ２で算出した記録必要時間Ｔａｗに基づいて、アフレコ時のビデオデータのリアルタイム再生の可否判定を行う。
【００６１】
具体的には、リアルタイム再生可否判定部３１は、連続再生必要時間Ｔｃｒと記録必要時間Ｔａｗとの間に式（４）の関係が成り立つか否かを確認し、成り立つと判定した場合、リアルタイム再生が可能であると判定し、成り立たないと判定した場合、リアルタイム再生ができないと判定する。
連続再生必要時間Ｔｃｒ＞＝記録必要時間Ｔａｗ・・・（４）
【００６２】
式（４）が成り立つ場合、バッファ６１におけるビデオデータがなくなるまでに、音声の記録が終了し、光ディスク１からのＡＶデータの読み出しがなされるので、再生が途切れない。一方、式（４）が成り立たない場合、音声の記録が終了する前に、バッファ６１がアンダーフローするので、再生が途切れる。
【００６３】
以上のようにして、アフレコ時の、ビデオデータのリアルタイム再生の可否判定を行うことができるので、光ディスクに記録されているＡＶデータを実際に読み出さなくても、その判定を行うことができる。
【００６４】
以上においては、図１のディスク装置がアフレコとともに、アフレコ時のリアルタイム再生可否判定を行う場合を例として説明したが、他の装置で行われるアフレコについて、リアルタイム再生可否判定を行うこともできる。なお、この場合、判定に必要な情報（例えば、アフレコを行う装置の信号処理部２３のバッファ６１に相当するバッファの出力データレートや、光ディスクからの読み出し時間等）は別途する提供される。
【００６５】
また、以上においては、ピックアップ１３の状態を、読み出し状態から書き込み状態に変更するのに要する時間、および書き込み状態から読み出し状態に変更するのに要する時間を含めて記録必要時間を算出し、それをリアルタイム再生可否判定に利用したが、その他の動作確認に利用することもできる。
【００６６】
上述した一連の処理は、ハードウエアにより実現させることもできるが、ソフトウエアにより実現させることもできる。一連の処理をソフトウエアにより実現する場合には、そのソフトウエアを構成するプログラムがコンピュータにインストールされ、そのプログラムがコンピュータで実行されることより、上述したディスク装置が機能的に実現される。
【００６７】
図７は、上述のようなディスク装置として機能するコンピュータ１０１の一実施の形態の構成を示すブロック図である。ＣＰＵ（Ｃｅｎｔｒａｌ  Ｐｒｏｃｅｓｓｉｎｇ  Ｕｎｉｔ）１１１にはバス１１５を介して入出力インタフェース１１６が接続されており、ＣＰＵ１１１は、入出力インタフェース１１６を介して、ユーザから、キーボード、マウスなどよりなる入力部１１８から指令が入力されると、例えば、ＲＯＭ（Ｒｅａｄ  Ｏｎｌｙ  Ｍｅｍｏｒｙ）１１２、ハードディスク１１４、またはドライブ１２０に装着される磁気ディスク１３１、光ディスク１３２、光磁気ディスク１３３、若しくは半導体メモリ１３４などの記録媒体に格納されているプログラムを、ＲＡＭ（Ｒａｎｄｏｍ  Ａｃｃｅｓｓ  Ｍｅｍｏｒｙ）１１３にロードして実行する。これにより、上述した各種の処理（例えば、図６のフローチャートにより示される処理）が行われる。さらに、ＣＰＵ１１１は、その処理結果を、例えば、入出力インタフェース１１６を介して、ＬＣＤ（Ｌｉｑｕｉｄ  Ｃｒｙｓｔａｌ  Ｄｉｓｐｌａｙ）などよりなる出力部１１７に必要に応じて出力する。なお、プログラムは、ハードディスク１１４やＲＯＭ１１２に予め記憶しておき、コンピュータ１０１と一体的にユーザに提供したり、磁気ディスク１３１、光ディスク１３２、光磁気ディスク１３３，半導体メモリ１３４等のパッケージメディアとして提供したり、衛星、ネットワーク等から通信部１１９を介してハードディスク１１４に提供することができる。
【００６８】
なお、本明細書において、記録媒体により提供されるプログラムを記述するステップは、記載された順序に沿って時系列的に行われる処理はもちろん、必ずしも時系列的に処理されなくとも、並列的あるいは個別に実行される処理をも含むものである。
【００６９】
【発明の効果】
本発明によれば、ピックアップの状態を、読み出し状態から書き込み状態に変更するのに要する第１の変更時間、および書き込み状態から読み出し状態に変更するのに要する第２の変更時間を含む必要時間を利用して、例えば、光ディスク装置の再生動作を確認することができる。
【図面の簡単な説明】
【図１】本発明を適用したディスク装置の構成例を示すブロック図である。
【図２】図１のピックアップの光学系の構成例を示すブロック図である。
【図３】図２の液晶素子の透過率の変更による効果を説明する図である。
【図４】図１の信号処理部の再生系の構成例を示すブロック図である。
【図５】リアルタイム再生可否判定処理を説明する図である。
【図６】リアルタイム再生の可否判定処理を説明するフローチャートである。
【図７】パーソナルコンピュータの構成例を示すブロック図である。
【符号の説明】
２  読み書き制御部，  ３  情報処理部，  １３  ピックアップ，  ２１  プリアンプ，  ２２  サーボ制御部，  ２３  信号処理部，  ３１  リアルタイム再生可否判定部，  ３２  制御部，  ３３  インタフェース，  ５１  光源，  ５２  液晶素子，  ６１  バッファ
【図１】
2005018909.tif 000003
【図２】
2005018909.tif 000004
【図３】
2005018909.tif 000005
【図４】
2005018909.tif 000006
【図５】
2005018909.tif 000007
【図６】
2005018909.tif 000008
【図７】
2005018909.tif 000009